(57)【要約】【課題】投光手段からの投光によって表示部の表示を、使用者に対してより認識し易いようにすることのできる照明機能付表示装置を提供すること。【解決手段】表示部６を備える管状体３と、管状体３のいずれかの端部に設けられ、管状体３内に投光する投光手段４と、を備え、投光手段４から投光される光の少なくとも一部によって管状体３の外方への照明と表示部６の表示とを行う照明機能付表示装置１であって、表示部６には光を反射させる第１反射部９と、光を管状体３の内方から外方に向けて透過させる第１透光部１０と、を備えている。【選択図】図２
2010257610.tif 000002
【特許請求の範囲】
【請求項１】
表示部を備える管状体と、該管状体のいずれかの端部に設けられ、該管状体内に投光する投光手段と、を備え、前記投光手段から投光される光の少なくとも一部によって前記管状体の外方への照明と前記表示部の表示とを行う照明機能付表示装置であって、
前記表示部には光を反射させる第１反射部と、光を前記管状体の内方から外方に向けて透過させる第１透光部と、を備えていることを特徴とする照明機能付表示装置。
【請求項２】
前記管状体内には、前記投光手段から投光される光を前記第１反射部と前記第１透光部とに拡散させる光拡散体が配置されていることを特徴とする請求項１に記載の照明機能付表示装置。
【請求項３】
前記光拡散体は、光を反射させる第２反射部を備えることを特徴とする請求項２に記載の照明機能付表示装置。
【請求項４】
前記光拡散体は、透光性を有し光を屈折させる第２透光部を備えることを特徴とする請求項２または３のいずれかに記載の照明機能付表示装置。
【請求項５】
前記表示部は前記管状体内に挿入配置される透光性を有するシート体であり、該シート体の表面の一部に前記第１反射部を印刷することで、前記シート体の表面の他部を前記第１透光部としたことを特徴とする請求項１ないし４のいずれかに記載の照明機能付表示装置。
【請求項６】
前記第１透光部は、複数の径の異なる円形状に形成され、前記シート体の表面で星座を示すように配置されていることを特徴とする請求項５に記載の照明機能付表示装置。
【発明の詳細な説明】
【技術分野】
【０００１】
本発明は、外周面に外方に向けて表示させる表示部と内周面に光を反射させる第１反射部とを備える管状体と、管状体のいずれかの端部に設けられ、管状体内に投光する投光手段と、を備え、投光手段から投光される光の少なくとも一部を第１反射部に反射させることで、管状体の外方への照明と表示部の表示とを行う照明機能付表示装置に関する。
【背景技術】
【０００２】
従来、表示装置としては、例えば、バス車両の後部に取り付けられ、バス停留場における乗客の乗降中に乗降中の旨を後続車に対して安全注意を喚起し、乗降者と後続車との間での事故の発生を防止しているものがある。このような表示装置としては、ケース内に収納されるプリント基板上に乗客とバス停（表示部）とを形取り、この形取った乗客とバス停とに複数のＬＥＤ（投光手段）をモザイク状に配列し、ＬＥＤを発光させることで後続車に対して乗客とバス停との図柄を認識させているものがある（例えば、特許文献１参照）。
【先行技術文献】
【特許文献】
【０００３】
【特許文献１】特開２０００−２５５３１７号公報（第２頁、第１図）
【発明の概要】
【発明が解決しようとする課題】
【０００４】
しかしながら、特許文献１にあっては、ＬＥＤ（投光手段）の発光による後続車に対する乗客とバス停との図柄をより強く認識させたいという要望があった。
【０００５】
本発明は、このような問題点に着目してなされたもので、投光手段からの投光によって表示部の表示を、使用者に対してより認識し易いようにすることのできる照明機能付表示装置を提供することを目的とする。
【課題を解決するための手段】
【０００６】
前記課題を解決するために、本発明の照明機能付表示装置は、
表示部を備える管状体と、該管状体のいずれかの端部に設けられ、該管状体内に投光する投光手段と、を備え、前記投光手段から投光される光の少なくとも一部によって前記管状体の外方への照明と前記表示部の表示とを行う照明機能付表示装置であって、
前記表示部には光を反射させる第１反射部と、光を前記管状体の内方から外方に向けて透過させる第１透光部と、を備えていることを特徴としている。
この特徴によれば、管状体の一端部に設けられた投光手段から投光される光を管状体内で第１反射部によって反射を繰り返させた後に第１透光部から放出するので、使用者に対して表示部を認識し易いように表示させることができ、且つ、効果的な照明としても利用することができる。
【０００７】
本発明の照明機能付表示装置は、
前記管状体内には、前記投光手段から投光される光を前記第１反射部と前記第１透光部とに拡散させる光拡散体が配置されていることを特徴としている。
この特徴によれば、透光手段から投光される光の一部は、第１反射部と光拡散体との間で反射を繰り返され、第１透過部から投光時よりも照度の高い状態で透過されるので、管状体の外方への照明効果と表示部の使用者に対する認識のし易さを高めることができる。
【０００８】
本発明の照明機能付表示装置は、
前記光拡散体は、光を反射させる第２反射部を備えることを特徴としている。
この特徴によれば、投光手段から投光され第１反射部によって反射されていない光を第２反射部によって第１反射部に向けて反射させることで、効率的に第１透過部から透過する光の照度を高めることができる。
【０００９】
本発明の照明機能付表示装置は、
前記光拡散体は、透光性を有し光を屈折させる第２透光部を備えることを特徴としている。
この特徴によれば、管状体内を直進する光を第２投光部で屈折させて、光を第１反射部で反射させることができるので、効率的に第１透過部から透過する光の照度を高めることができる。
【００１０】
本発明の照明機能付表示装置は、
前記表示部は前記管状体内に挿入配置される透光性を有するシート体であり、該シート体の表面の一部に前記第１反射部を印刷することで、前記シート体の表面の他部を前記第１透光部としたことを特徴としている。
この特徴によれば、表示部を短時間で簡易に製作することができる。
【００１１】
本発明の照明機能付表示装置は、
前記第１透光部は、複数の径の異なる円形状に形成され、前記シート体の表面で星座を示すように配置されていることを特徴としている。
この特徴によれば、薄暗い室内にこの照明機能付表示装置を設置することで、第１透光部から放出される光による演出効果を得るとともに、第１透光部からの光を認識する使用者は、星座を視認することによる緊張やストレスの緩和等の心理効果を受けることが期待できる。
【図面の簡単な説明】
【００１２】
【図１】実施例における照明機能付表示装置の全体像を示す斜視図である。
【図２】照明機能付表示装置を示す縦断側面図である。
【図３】照明機能付表示装置を示す組立斜視図である。
【図４】照明機能付表示装置で表示される星座の一例を示す表示部の展開図である。
【図５】照明機能付表示装置で表示される図４とは異なる星座の一例を示す表示部の展開図である。
【発明を実施するための形態】
【００１３】
本発明に係る照明機能付表示装置を実施するための形態を実施例に基づいて以下に説明する。
【実施例】
【００１４】
実施例に係る照明機能付表示装置につき、図１から図５を参照して説明する。図１の符号１は、本発明の適用された照明機能付表示装置である。この照明機能付表示装置１は、例えば、薄暗い室内等に設置され、室内の照明として機能しながら外方に向けて星座の表示を行い、室内の演出を行う装置である。
【００１５】
この照明機能付表示装置１は、図１及び図２に示すように、室内の床面や机上等に立設される基台２と、上下方向を向く管状体３とを備えている。基台２は、アルミ材等の軽金属材により構成されており、上端部には本発明における投光手段としてのＬＥＤランプ４が取り付けられている。このＬＥＤランプ４からは、基台２の外方に向けて電源コード５が延設されており、図示しない室内のコンセント等に接続されることで発光可能となっている。
【００１６】
また、管状体３は透光性を有する樹脂材によって構成されており、内部が上下方向に向けて貫通形成されている。この管状体３は、下端部を基台２の上端部に取り付けられることで固定されている。更に、ＬＥＤランプ４が管状体３内下端部に配置され、ＬＥＤランプ４から投光された光は管状体３内に投光されるようになっている。
【００１７】
尚、管状体３内には、図３に示すように、ＬＥＤランプ４からの投光によって外方に向けて星座を表示する表示部６が、管状体３の上端部から挿入配置されている。この表示部６の外側面には、前述したように星座が複数配置されており、これら星座の星に該当する箇所からＬＥＤランプ４の光が放出されることで、使用者は星座を視認可能となっている。
【００１８】
具体的には、この表示部６は、図２及び図４に示すように、透光性を有する樹脂材等で構成されたシート体７を備えている。また、表示部６は、このシート体７の一方の表面に星座を構成する星の箇所を除いて外面視黒色の黒塗部８を印刷し、シート体７の他方の表面に、星座を構成する星の箇所を除いて光を反射する鏡面部９を印刷することで構成されている。
【００１９】
このため、シート体７には、黒塗部８と鏡面部９とが共に印刷されていない箇所において、光を透過させる本発明における第１透光部としての窓部１０が構成されている。尚、これら窓部１０は、図４に示すように、個々の星の明るさを表現するために、複数の径の異なる円形状に形成されており、これら窓部１０の配置によって表示部６に星座が構成される。
【００２０】
そして、図３に示すように、表示部６は、シート体７の黒塗部８側の表面が外側方を向くように、上下方向を向く筒状に形成されて管状体３内に挿入配置されている。このため、ＬＥＤランプ４から投光された光は、シート体７の内側方を向く表面に印刷された鏡面部９によって反射されるようになっている。つまり、鏡面部９は本発明における第１反射部を構成している。
【００２１】
また、内部に表示部６が挿入配置された管状体３の上端部には、透光性を有する樹脂材で構成されたキャップ体１１が挿嵌されるようになっている。このキャップ体１１の下端部には、図２及び図３に示すように、所定数（本実施例では４個）の光拡散体１２が吊持されており、キャップ体１１が管状体３の上端部に挿嵌されることによって、これら光拡散体１２が管状体３内に配置されるようになっている。
【００２２】
具体的には、これら光拡散体１２は、表面がＬＥＤランプ４から投光された光を反射させる鏡面加工が施された球状の本発明における第２反射部としてのミラーボール１３と、ＬＥＤランプ４から投光された光を透過させるとともに、内部で屈折させる球状の本発明における第２透光部としての硝子球１４と、を上下方向に連続して吊持することで構成されている。
【００２３】
尚、本実施例では１つの光拡散体１２に対してこれらミラーボール１３と硝子球１４とを所定数ずつ吊持させて構成するが、各光拡散体１２はミラーボール１３のみや硝子球１４のみを吊持させて構成してもよい。更に尚、本実施例では第２反射部と第２透光部とを球状に形成したが、これら第２反射部と第２透光部とは、四面体や六面体等の多面体に形成してもよい。
【００２４】
上述のように光拡散体１２を管状体３内に配置することにより、ＬＥＤランプ４から投光された光は、鏡面部９とミラーボール１３との間で反射を繰り返すとともに硝子球１４内で屈折させられ、光の一部は窓部１０を通して管状体３の外方に向けて放出されることで、使用者に向けて図４に示す星座の表示がなされる。
【００２５】
また、管状体３の内部にはＬＥＤランプ４の投光に伴う発熱によって僅かながら空気の対流が発生する。このため、ミラーボール１３と硝子球１４とが空気の対流によって揺動させられるので、窓部１０から放出される光にゆらぎが生じ、使用者に対して星の瞬きを再現することができる。更に、この光のゆらぎがピンクノイズ（１／ｆゆらぎ）を含む場合には、使用者に対してストレスの緩和等の心理効果を期待することができる。
【００２６】
尚、キャップ体１１は透光性を有する樹脂材によって構成されているため、ＬＥＤランプ４から投光された光は、キャップ体１１内を屈折しながら進行することでキャップ体１１の上側端部から外方に向けて放出されるようになっている。このキャップ体１１の上側端部からの光は、使用者からは環状に見えるため、照明機能付表示装置１の美観を向上させている。
【００２７】
また、キャップ体１１の上端部には、図２及び図３に示すように、水や湯とともにアロマオイル等を注ぐ受け皿１５を載置可能となっている。この受け皿１５に注がれたアロマオイルは、ＬＥＤランプ４の発熱によって室内に蒸発・拡散するため、芳香による演出効果を期待することができる。
【００２８】
尚、本実施例ではＬＥＤランプ４を管状体３の下端部に配置しているが、ＬＥＤランプ４をキャップ体１１の下端部に取り付けることでＬＥＤランプ４を管状体３の上端部に配置し、ＬＥＤランプ４の発熱を受け皿１５に向けて効率よく伝導するようにしてもよい。
【００２９】
更に尚、本実施例では図４に示す表示部６の展開図に基づいて説明したが、図５に示すように、表示部６に表示される星座は、使用者の気分や季節に応じて異なる角度や異なる星座としてもよい。
【００３０】
以上、本実施例における照明機能付表示装置１にあっては、表示部６を備える管状体３と、管状体３のいずれかの端部に設けられ、管状体３内に投光するＬＥＤランプ４と、を備え、ＬＥＤランプ４から投光される光の少なくとも一部によって管状体３の外方への照明と表示部６の表示とを行う照明機能付表示装置１であって、表示部６には光を反射させる鏡面部９と、光を管状体３の内方から外方に向けて透過させる窓部１０と、を備えていることにより、管状体３の一端部に設けられたＬＥＤランプ４から投光される光を管状体３内で鏡面部９によって反射を繰り返させた後に窓部１０から放出するので、使用者に対して表示部６を認識し易いように表示させることができ、且つ、効果的な照明としても利用することができる。
【００３１】
また、管状体３内には、ＬＥＤランプ４から投光される光を鏡面部９と窓部１０とに拡散させる光拡散体１２が配置されているので、ＬＥＤランプ４から投光される光の一部は、鏡面部９と光拡散体１２との間で反射を繰り返され、窓部１０から投光時よりも照度の高い状態で透過されるので、管状体３の外方への照明効果と表示部６の使用者に対する認識のし易さを高めることができる。
【００３２】
また、光拡散体１２は、光を反射させるミラーボール１３を備えることで、ＬＥＤランプ４から投光され鏡面部９によって反射されていない光をミラーボール１３によって鏡面部９に向けて反射させることで、効率的に窓部１０から透過する光の照度を高めることができる。
【００３３】
また、光拡散体１２は、透光性を有し光を屈折させる硝子球１４を備えることで、管状体３内を直進する光を硝子球１４で屈折させて、光を鏡面部９で反射させることができるので、効率的に窓部１０から透過する光の照度を高めることができる。
【００３４】
また、表示部６は管状体３内に挿入配置される透光性を有するシート体７であり、シート体７の表面の一部に鏡面部９を印刷することで、シート体７の表面の他部を窓部１０としたので、表示部６を短時間で簡易に製作することができる。
【００３５】
また、窓部１０は、複数の径の異なる円形状に形成され、シート体７の表面で星座を示すように配置されているので、薄暗い室内にこの照明機能付表示装置１を設置することで、窓部１０から放出される光による演出効果を得るとともに、窓部１０からの光を認識する使用者は、星座を視認することによる緊張やストレスの緩和等の心理効果を受けることが期待できる。
【００３６】
以上、本発明の実施例を図面により説明してきたが、具体的な構成はこれら実施例に限れるものではなく、本発明の要旨を逸脱しない範囲における変更や追加があっても本発明に含まれる。
【００３７】
例えば、前記実施例では、照明機能付表示装置１は薄暗い室内に設置され、照明として機能しながら表示部６に星座を表示したが、室内の明るさによっては照明機能を主として使用することもできる。
【００３８】
また、前記実施例では、表示部６に窓部１０が星座を示すように配置したが、窓部１０絵画や幾何学模様等を示すように配置してもよい。
【符号の説明】
【００３９】
１                照明機能付表示装置
３                管状体
４                ＬＥＤランプ（投光手段）
６                表示部
７                シート体
８                黒塗部
９                鏡面部（第１反射部）
１０              窓部（第１透光部）
１２              光拡散体
１３              ミラーボール（第２反射部）
１４              硝子球（第２透光部）
【図１】
2010257610.tif 000003
【図２】
2010257610.tif 000004
【図３】
2010257610.tif 000005
【図４】
2010257610.tif 000006
【図５】
2010257610.tif 000007